(57)【要約】【課題】マルチキャスト通信を行う際に無線制御装置の負荷を軽減することを可能とする移動通信システム等を提供する。【解決手段】本発明の特徴は、無線制御装置５０と基地局１０乃至４０と移動局１１乃至４３とを具備しており、マルチキャスト通信を行う移動通信システムであって、移動局が、マルチキャストグループ宛ての制御信号に対する応答信号を生成する応答信号生成手段１１ｃと、応答信号を所定期間保留する応答信号保留手段１１ｄと、応答信号を所定期間保留した後、当該応答信号を基地局に送信する応答信号送信手段１１ｂとを具備することを要旨とする。【選択図】      図１
2004165712.tif 000002
【特許請求の範囲】
【請求項１】
無線制御装置と基地局と移動局とを具備しており、マルチキャスト通信を行う移動通信システムであって、
前記移動局は、
マルチキャストグループ宛ての制御信号に対する応答信号を生成する応答信号生成手段と、
前記応答信号を所定期間保留する応答信号保留手段と、
前記応答信号を前記所定期間保留した後、該応答信号を前記基地局に送信する応答信号送信手段とを具備することを特徴とする移動通信システム。
【請求項２】
前記基地局は、前記移動局から受信した前記応答信号を前記無線制御装置に転送する応答信号中継手段を具備し、
前記応答信号中継手段は、前記移動局から最初の応答信号又は所定数の応答信号を受信した以降に受信した応答信号を前記無線制御装置に転送しないように構成されていることを特徴とする請求項１に記載の移動通信システム。
【請求項３】
マルチキャスト通信に対応可能な基地局であって、
マルチキャストグループ宛ての制御信号に応じて、複数の移動局から送信された応答信号を無線制御装置に転送する応答信号中継手段を具備し、
前記応答信号中継手段は、前記移動局から最初の応答信号又は所定数の応答信号を受信した以降に受信した応答信号を前記無線制御装置に転送しないように構成されていることを特徴とする基地局。
【請求項４】
マルチキャスト通信に対応可能な移動局であって、
マルチキャストグループ宛ての制御信号に対する応答信号を生成する応答信号生成手段と、
前記応答信号を所定期間保留する応答信号保留手段と、
前記応答信号を前記所定期間保留した後、該応答信号を前記基地局に送信する応答信号送信手段とを具備することを特徴とする移動局。
【請求項５】
マルチキャスト通信に対応可能な無線制御装置であって、
マルチキャストグループ宛ての制御信号に対する移動局からの最初の応答信号又は所定数の応答信号を受信して処理し、前記最初の応答信号又は前記所定数の応答信号を受信した以降に前記移動局と異なる移動局から受信した応答信号の処理を行わない応答信号処理手段を具備することを特徴とする無線制御装置。
【発明の詳細な説明】
【０００１】
【発明の属する技術分野】
本発明は、マルチキャスト通信を行う移動通信システム、基地局、移動局及び無線制御装置に関する。
【０００２】
【従来の技術】従来の移動通信システムにおいて、図６に示すように、１つ又は複数の基地局１１乃至１７が、エリア内の不特定多数の移動局１０１乃至１１２に対して共通な情報を一斉に送信するブロードキャスト（Ｂｒｏａｄｃａｓｔ）通信が行われている（例えば、非特許文献１参照）。
【０００３】
また、従来の移動通信システムにおいて、図７に示すように、特定グループに属している複数の移動局に対して共通な情報を送信するマルチキャスト（Ｍｕｌｔｉｃａｓｔ）通信が行われている（例えば、非特許文献２参照）。
【０００４】
【非特許文献１】
３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｔｅｒｍｉｎａｌｓ著，  ２３．０４１  Ｔｅｃｈｎｉｃａｌ  ｒｅａｌｉｚａｔｉｏｎ  ｏｆ  Ｃｅｌｌ  Ｂｒｏａｄｃａｓｔ  Ｓｅｒｖｉｃｅ  （ＣＢＳ），  ２０００年１０月
【０００５】
【非特許文献２】
３ｒｄ  Ｇｅｎｅｒａｔｉｏｎ  Ｐａｒｔｎｅｒｓｈｉｐ  Ｐｒｏｊｅｃｔ  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ著，  ２５．３２４  Ｂｒｏａｄｃａｓｔ／Ｍｕｌｔｉｃａｓｔ  Ｃｏｎｔｒｏｌ  ＢＭＣ，  ２０００年１２月
【０００６】
【発明が解決しようとする課題】
しかしながら、従来のマルチキャスト通信では、マルチキャストグループに属する複数の移動局が、ほぼ同じ時間に、当該マルチキャストグループ宛ての制御信号を受信し、複数の応答信号が、無線制御装置に到達するため、応答信号の量が増大するにつれて、当該応答信号の受信処理及び制御によって、無線制御装置の負荷が過大になるという問題点があった。
【０００７】
そこで、本発明は、以上の点に鑑みてなされたもので、マルチキャスト通信を行う際に無線制御装置の負荷を軽減することを可能とする移動通信システム及びこれに用いて好適な移動局、基地局及び無線制御装置を提供することを目的とする。
【０００８】
【課題を解決するための手段】
本発明の第１の特徴は、無線制御装置と基地局と移動局とを具備しており、マルチキャスト通信を行う移動通信システムであって、前記移動局が、マルチキャストグループ宛ての制御信号に対する応答信号を生成する応答信号生成手段と、前記応答信号を所定期間保留する応答信号保留手段と、前記応答信号を前記所定期間保留した後、該応答信号を前記基地局に送信する応答信号送信手段とを具備することを要旨とする。
【０００９】
本発明の第１の特徴において、前記基地局が、前記移動局から受信した前記応答信号を前記無線制御装置に転送する応答信号中継手段を具備し、前記応答信号中継手段が、前記移動局から最初の応答信号又は所定数の応答信号を受信した以降に受信した応答信号を前記無線制御装置に転送しないように構成されていることが好ましい。
【００１０】
また、本発明の第２の特徴は、マルチキャスト通信に対応可能な基地局であって、マルチキャストグループ宛ての制御信号に応じて、複数の移動局から送信された応答信号を無線制御装置に転送する応答信号中継手段を具備し、前記応答信号中継手段が、前記移動局から最初の応答信号又は所定数の応答信号を受信した以降に受信した応答信号を前記無線制御装置に転送しないように構成されていることを要旨とする。
【００１１】
本発明の第３の特徴は、マルチキャスト通信に対応可能な移動局であって、マルチキャストグループ宛ての制御信号に対する応答信号を生成する応答信号生成手段と、前記応答信号を所定期間（例えばランダム時間）保留する応答信号保留手段と、前記応答信号を前記所定期間保留した後、該応答信号を前記基地局に送信する応答信号送信手段とを具備することを要旨とする。
【００１２】
本発明の第４の特徴は、マルチキャスト通信に対応可能な無線制御装置であって、マルチキャストグループ宛ての制御信号に対する移動局からの最初の応答信号又は所定数の応答信号を受信して処理し、前記最初の応答信号又は前記所定数の応答信号を受信した以降に前記移動局と異なる移動局から受信した応答信号の処理を行わない応答信号処理手段を具備することを要旨とする。
【００１３】
【発明の実施の形態】
図１に、本発明の一実施形態に係る移動通信システムの全体構成図を示す。
【００１４】
本実施形態に係る移動通信システムは、図１に示すように、無線制御装置５０の配下に、４つの基地局１０、２０、３０、４０を具備している。また、本実施形態に係る移動通信システムにおいて、基地局１０は、移動局１１乃至１３を管理しており、基地局２０は、移動局２１及び２２を管理しており、基地局３０は、移動局３１及び３２を管理しており、基地局４０は、移動局４１乃至４３を管理している。
【００１５】
ここで、現在、移動局１１と移動局１２と移動局２１と移動局４１と移動局４２と移動局４３とが、同一マルチキャストグループＡに属しているとする。
【００１６】
図２に、本実施形態に係る移動通信システムで用いて好適な移動局の機能ブロックを示す。複数の移動局１１乃至４３の機能は、基本的に同一であるので、以下、移動局１１の機能について説明する。
【００１７】
移動局１１は、マルチキャスト通信に対応可能な移動局であって、図２に示すように、制御信号受信部１１ａと、応答信号送信部１１ｂと、応答信号生成部１１ｃと、保持部１１ｄとを具備している。
【００１８】
制御信号受信部１１ａは、基地局１０から送信されたマルチキャストグループＡ宛ての制御信号を受信するものである。
【００１９】
応答信号生成部１１ｃは、マルチキャストグループＡ宛ての制御信号に対する応答信号を生成するものである。本実施形態において、応答信号生成部１１ｃが、マルチキャストグループＡ宛ての制御信号に対する応答信号を生成する応答信号生成手段を構成する。
【００２０】
保持部１１ｄは、生成した応答信号を、所定期間（例えばランダム時間）、保持するものである。本実施形態において、保持部１１ｄが、応答信号を所定期間保留する応答信号保留手段を構成する。
【００２１】
例えば、保持部１１ｄは、乱数発生器により発生された数字に基づいて、上述のランダム時間を決定してもよいし、予め設定されている値を上述のランダム時間として使用してもよい。
【００２２】
例えば、移動局１１の保持部１１ｄが、応答信号を３００ｍｓ保持し、移動局１２の保持部１１ｄが、応答信号を５００ｍｓ保持し、移動局２１の保持部１１ｄが、応答信号を９００ｍｓ保持し、移動局４１の保持部１１ｄが、応答信号を２００ｍｓ保持し、移動局４２の保持部１１ｄが、応答信号を８００ｍｓ保持し、移動局４３の保持部１１ｄが、応答信号を５００ｍｓ保持するように構成することができる。
【００２３】
応答信号送信部１１ｂは、生成された応答信号を基地局１０に送信するものである。本実施形態において、応答信号送信部１１ｂが、応答信号を所定期間保留した後、当該応答信号を基地局１０に送信する応答信号送信手段を構成する。
【００２４】
図３に、本実施形態に係る移動通信システムで用いて好適な基地局の機能ブロックを示す。複数の基地局１０乃至４０の機能は、基本的に同一であるので、以下、基地局１０の機能について説明する。
【００２５】
基地局１０は、マルチキャスト通信に対応可能な基地局であって、図３に示すように、制御信号中継部１０ａと応答信号中継部１０ｂとを具備している。
【００２６】
制御信号中継部１０ａは、無線制御装置５０からの制御信号を受信し、基地局１０の配下に在圏する移動局１１乃至１３の中から、特定のマルチキャストグループ（例えば、マルチキャストグループＡ）に属している移動局１１及び１２に、当該制御信号を転送するものである。
【００２７】
応答信号中継部１０ｂは、基地局１０の配下に在圏する移動局１１乃至１３からの応答信号を受信して、当該応答信号を無線制御装置５０に転送するものである。
【００２８】
また、応答信号中継部１０ｂは、移動局１１乃至１３から最初の応答信号又は所定数の応答信号を受信した以降に受信した応答信号を無線制御装置５０に転送しないように構成されていてもよい。なお、所定数は、基地局において、任意の数（例えば、２〜３）を定めることができる。
【００２９】
図４に、本実施形態に係る移動通信システムで用いて好適な無線制御装置５０の機能ブロックを示す。
【００３０】
無線制御装置５０は、マルチキャスト通信に対応可能な無線制御装置であって、図４に示すように、制御信号送信部５１と、応答信号受信部５２と、応答信号処理部５３とを具備している。
【００３１】
制御信号送信部５１は、所定の制御を実施する移動局１１乃至４３が在圏する基地局１０乃至４０に対して、サービス通知や認証等の所定の制御を行うための制御信号を送信するものである。
【００３２】
応答信号受信部５２は、基地局１０乃至４０を介して移動局１１乃至４３から送信された応答信号を受信するものである。また、応答信号受信部５２は、各移動局から受信した応答信号の数を管理する。
【００３３】
応答信号処理部５３は、応答信号受信部５２によって受信された応答信号に応じて、所定の処理（例えば、サービスデータの送信）を行うものである。
【００３４】
また、応答信号処理部５３は、特定の移動局１１から最初の応答信号又は所定数の応答信号を受信した以降に当該移動局１１と異なる移動局１２から受信した応答信号の処理を行わないように構成してもよい。
【００３５】
図５を参照して、本実施形態に係る移動通信システムにおいて、無線制御装置５０が、マルチキャストグループＡに属する移動局１１、１２、２１、４１、４２、４３に対して、所定の制御（例えば、サービス通知、認証制御等）を実施する場合の動作を説明する。
【００３６】
ステップ１００１において、無線制御装置５０は、基地局３０を除いた３つの基地局１０、２０、４０に対して、サービス通知、認証等の制御信号を送信する。
【００３７】
ステップ１００２において、基地局１０、２０、４０（基地局３０を含んでもよい）の各々は、無線制御装置５０からの制御信号を受信し、それぞれの基地局配下のマルチキャストグループＡに属している移動局１１、１２、２１、４１、４２、４３に、当該制御信号が到達できるように送信する。
【００３８】
ステップ１００３において、それぞれの移動局１１、１２、２１、４１、４２、４３は、マルチキャストグループ宛ての制御信号に対する応答信号を生成して、ランダム時間保留する。
【００３９】
ステップ１００４において、それぞれの移動局１１、１２、２１、４１、４２、４３は、ランダム時間保留された応答信号を、基地局１０、２０、４０に送信する。
【００４０】
ステップ１００５において、各基地局１０、２０、４０は、各移動局１１、１２、２１、４１、４２、４３からの応答信号を受信して、受信した応答信号を無線制御装置５０に送信する。
【００４１】
ここで、各基地局１０、２０、４０は、移動局１１、１２、２１、４１、４２、４３から最初の応答信号又は所定数の応答信号を受信した以降に受信した応答信号を無線制御装置５０に転送しなくてもよい。
【００４２】
ステップ１００６において、無線制御装置５０は、各移動局１１、１２、２１、４１、４２、４３から受信した応答信号に応じて、基地局１０、２０、４０に対して、サービスデータを送信する。ここで、無線制御装置５０は、各移動局からの最初の応答信号又は所定数の応答信号を受信し、最初の応答信号又は所定数の応答信号を受信した以降に、さらに当該移動局から応答信号を受信した場合、当該応答信号の処理を行わないようにすることができる。なお、所定数は、無線制御装置５０において、任意の数（例えば２〜３）を定めることができる。
【００４３】
ステップ１００７において、各基地局１０、２０、４０は、受信したサービスデータを各移動局１１、１２、２１、４１、４２、４３に送信する。
【００４４】
本実施形態に係る移動通信システムによれば、同報通信や放送型通信等の複数の移動局に対して共通情報を送信する場合であっても、無線制御装置５０からの制御信号に対する複数の移動局１１、１２、２１、４１、４２、４３の応答信号が、ほぼ時間差なく到達することによる無線制御装置５０の負荷を、複数の移動局１１、１２、２１、４１、４２、４３の応答信号を時間的に分散させることで軽減する効果が期待できる。
【００４５】
【発明の効果】
以上説明したように本発明によれば、マルチキャスト通信を行う際に無線制御装置の負荷を軽減することを可能とする移動通信システム、これに用いて好適な移動局、基地局及び無線制御装置を提供することができる。
【図面の簡単な説明】
【図１】本発明の一実施形態に係る移動通信システムの全体構成図である。
【図２】本発明の一実施形態に係る移動通信システムで用いて好適な移動局の機能ブロック図である。
【図３】本発明の一実施形態に係る移動通信システムで用いて好適な基地局の機能ブロック図である。
【図４】本発明の一実施形態に係る移動通信システムで用いて好適な無線制御装置の機能ブロック図である。
【図５】本発明の一実施形態に係る移動通信システムの動作を示すシーケンス図である。
【図６】従来技術に係るブロードキャスト通信を説明するための図である。
【図７】従来技術に係るマルチキャスト通信を説明するための図である。
【符号の説明】
１０、２０、３０、４０…基地局
１０ａ…制御信号中継部
１０ｂ…応答信号中継部
１１、１２、１３、２１、２２、３１、３２、４１、４２、４３…移動局
５０…無線制御装置
５１…制御信号送信部
５２…応答信号受信部
５３…応答信号処理部
【図１】
2004165712.tif 000003
【図２】
2004165712.tif 000004
【図３】
2004165712.tif 000005
【図４】
2004165712.tif 000006
【図５】
2004165712.tif 000007
【図６】
2004165712.tif 000008
【図７】
2004165712.tif 000009